(57)【特許請求の範囲】
【請求項１】
（ｉ）少なくとも２つの４−ビニルカテコールモノマーを含む組成物を用意するステップと、
（ｉｉ）ステップ（ｉ）の前記４−ビニルカテコールモノマーの重合を熱処理により誘発させて、多官能フェノールを含む組成物を得るステップと
を含み、
前記４−ビニルカテコールモノマーがコーヒー酸から誘導され、
前記多官能フェノールがｔｒａｎｓ−５，６−ジヒドロキシ−１−メチル−３−（３’−４’−ジヒドロキシフェニル）インダン、ｃｉｓ−５，６−ジヒドロキシ−１−メチル−３−（３’−４’−ジヒドロキシフェニル）インダン、及び／又はｔｒａｎｓ−１，３−ビス（３’−４’−ジヒドロキシフェニル）ブタンを含む、発泡助剤を製造する方法。
【請求項２】
ステップ（ｉｉ）の多官能フェノールを含む前記組成物をアルカリで処理するステップをさらに含む、請求項１に記載の方法。
【請求項３】
請求項１又は２に記載の方法によって得ることができる発泡助剤。
【請求項４】
請求項３に記載の発泡助剤の、コーヒー発泡助剤としての使用。
【請求項５】
（ａ）コーヒー抽出物を用意するステップと、
（ｂ）請求項３に記載の発泡助剤を前記抽出物に添加するステップと
を含む、コーヒー製品を製造する方法。
【請求項６】
前記コーヒー抽出物を乾燥する前に前記発泡助剤を添加する、請求項５に記載の方法。
【請求項７】
前記コーヒー抽出物を乾燥した後に前記発泡助剤を添加する、請求項５又は６に記載の方法。
【請求項８】
前記コーヒー抽出物がグリーンコーヒー豆、焙煎コーヒー豆又はこれらの混合物の抽出物である、請求項５〜７のいずれか一項に記載の方法。
【請求項９】
前記コーヒー製品が、インスタントコーヒー、インスタントエスプレッソコーヒー、液体コーヒー濃縮物及びコーヒーミックス、コーヒー混合物、カプセル入り又はなしのＲ＆Ｇコーヒー、Ｒ＆Ｇ及びインスタントコーヒーのミックス、レディ・トゥ・ドリンクコーヒー飲料からなるリストから選択されるコーヒー製品である、請求項５〜８のいずれか一項に記載の方法。
【請求項１０】
請求項１又は２に記載の方法により得ることができる発泡剤を含むコーヒー製品。
【請求項１１】
前記製品中のｔｒａｎｓ−５，６−ジヒドロキシ−１−メチル−３−（３’−４’−ジヒドロキシフェニル）インダン、ｃｉｓ−５，６−ジヒドロキシ−１−メチル−３−（３’−４’−ジヒドロキシフェニル）インダン、及び／又はｔｒａｎｓ−１，３−ビス（３’−４’−ジヒドロキシフェニル）ブタンの総濃度が２．３ｍｇ／Ｌを超える、請求項１
０に記載のコーヒー製品。
【請求項１２】
前記製品中のｔｒａｎｓ−５，６−ジヒドロキシ−１−メチル−３−（３’−４’−ジヒドロキシフェニル）インダン、ｃｉｓ−５，６−ジヒドロキシ−１−メチル−３−（３’−４’−ジヒドロキシフェニル）インダンの総濃度が２．３ｍｇ／Ｌを超える、請求項１１に記載のコーヒー製品。
【請求項１３】
請求項１０〜１２のいずれか一項に記載のコーヒー製品を含む容器。
【請求項１４】
カプセルである、請求項１３に記載の容器。
【発明の詳細な説明】
【発明の分野】
【０００１】
本発明は、発泡助剤を製造する方法に関する。特に、本発明は、例えば再溶解の際に安定なエスプレッソ型の泡沫すなわちクレマを生成するためにコーヒー製品などの飲料で使用される発泡助剤を製造する方法に関する。本発明はさらに、発泡助剤自体、前記発泡助剤を含む得られたコーヒー製品、及び前記コーヒー製品を含む容器に関する。
【発明の背景】
【０００２】
コーヒー、特にエスプレッソコーヒーでは、「クレマ」ともいわれる持続性の泡沫が視覚的な品質判定基準となる。クレマの体積、テクスチャ、繊細さ、色及び安定性は消費者にとって魅力のある特徴である。クレマは表面活性コーヒー成分の抽出によって生じ、前記表面活性コーヒー成分は詰めたエスプレッソコーヒー素地に加圧された熱水を送り込むことによって創出された気泡を被覆し安定化するものである。
【０００３】
再溶解の際にエスプレッソ型のクレマを生ずる可溶性コーヒーの開発はコーヒー飲料製品の分野で決定的に競合上の優位性となるであろう。そのような可溶性コーヒー組成物及びその製造は例えばエスプレッソ抽出とは全く異なるので、科学的及び技術的取り組みは相当なものである。
【０００４】
欧州特許第０８３９４５７号には、インスタントコーヒー、特に熱水と接触した際にエスプレッソクレマと似た泡沫を生じる噴霧乾燥したインスタントコーヒーの製造方法が開示されている。可溶性「エスプレッソ」コーヒーの生成方法の一環として、泡沫形成方法において、抽出液を加圧ガス注入により発泡させ、発泡した抽出液を均質化して気泡の大きさを低減させ、気泡が混入された多孔性粒子を得るのに充分な乾燥機出口温度及び噴霧圧条件下で噴霧乾燥する。微細な大きさの気泡の混入は、欧州特許第０８３９４５７号に従って改善されたカップ内泡沫を得るのに不可欠である。
【０００５】
したがって、産業界では、コーヒー飲料などの飲料の泡沫体積及び泡沫外観を改善することができる化合物であって、それによりそのような飲料は消費中の品質及び満足感に関する消費者の増大する需要を満たすことになる、化合物を提供する必要性が存在する。
【発明の概要】
【０００６】
したがって、本発明は、発泡特性を有する液体又は粉末化製品のための増大した泡沫体積を伴う、非焙煎コーヒーフェノール酸及びプロセスで変性されたコーヒーフェノール酸から誘導された一群の化合物に関する。
【０００７】
したがって、
（ｉ）少なくとも２つの４−ビニルカテコールモノマーを含む組成物を用意するステップと、
（ｉｉ）ステップ（ｉ）の４−ビニルカテコールモノマーの重合を誘発させて多官能フェノールを含む組成物を得るステップと
を含む、発泡助剤を製造する方法を提供することが本発明の１つの目的である。
【０００８】
別の目的において、本発明は、本発明の方法によって得ることができる発泡助剤に関する。
【０００９】
さらなる目的において、本発明は、本発明の発泡助剤の、コーヒー発泡助剤としての使用に関する。
【００１０】
さらにもう１つ別の目的において、本発明は、
（ａ）コーヒー抽出物を用意するステップと、
（ｂ）前記請求項のいずれか一項に記載の発泡助剤を前記抽出物に添加するステップと
を含む、コーヒー製品を製造する方法に関する。
【００１１】
さらに、本発明の１つの目的は、前記請求項のいずれか一項に記載の方法によって得ることができる発泡剤を含むコーヒー製品に関する。
【００１２】
さらに別の目的において、本発明は、本発明のコーヒー製品を含む容器に関する。
【図面の簡単な説明】
【００１３】
【図１】４−ビニルカテコールモノマー（１５）の縮合から誘導される、プロセスで誘発された幾つかの多官能フェノール１６〜２５を示す。
【００１４】
【図２】基準コーヒー（灰色四角）、及び０．０６５％のｒＣＡ、すなわち焙煎コーヒー酸を添加した基準コーヒー（暗色丸）に対して、時間の関数としてＦＭＤ（泡測定器、Ｆｏａｍ  Ｍｅａｓｕｒｉｎｇ  Ｄｅｖｉｃｅ）により測定された泡沫体積を示す。
【００１５】
【図３】ａ）０％コーヒー酸（黒丸）、ｂ）０．２５％コーヒー酸（暗色のばつ印）、ｃ）０．５％コーヒー酸（灰色三角）、ｄ）１％コーヒー酸（灰色四角）及びｅ）２％コーヒー酸（灰色丸）を添加し、２３６℃で７２０秒焙煎したアラビカ（Ａｒａｂｉｃａ）１．１コーヒーグリーンコーヒー豆に対して、時間の関数としてウルトラトラックス（Ｕｌｔｒａｔｒａｘ）により測定された泡沫体積を示す。
【００１６】
【図４】未処理のコーヒー豆、水に浸したコーヒー豆、コーヒー酸溶液に浸したコーヒー豆、及びコーヒー酸が富化されたグリーンコーヒー抽出物に浸したコーヒー豆に対してＫＯＭＯにより測定された泡沫体積を示す。
【発明の詳細な開示】
【００１７】
既に述べたように、コーヒーの泡沫（すなわちクレマ）は品質判定基準となる。クレマの１つ又は複数の特徴としていろいろなパラメーターを使用することができる。かかる特徴は体積、テクスチャの細かさ、色及び安定性であってもよい。もちろん、これらの特徴は多かれ少なかれ相互に関連している可能性がある。
【００１８】
加えて、コーヒー泡沫は非常に強力な酸化防止活性を有することが示されている。この活性は、泡沫構造にも寄与するコーヒーフェノール酸と直接関連すると考えられる。
【００１９】
したがって、これらのフェノール化合物はその二重の活性（発泡助剤及び酸化防止活性）のために多機能（多官能）フェノールと呼ぶことができ、次の２つの主要なファミリーに分類することができる。
クロロゲン酸類としても知られる天然由来のグリーンコーヒーフェノール酸、及び
多官能フェノールのプロセスで誘発された重合産物。ここでプロセスは熱、化学、酸化又は酵素処理でもよい。
【００２０】
本発明の発明者らは、少なくとも２つの４−ビニルカテコールモノマーを含む化合物（重合した化合物）が発泡助剤として作用し得ることを見出した。
【００２１】
本明細書において、用語「発泡助剤」は、発泡性物質に加えてその発泡特性を改善することができる作用物質に関する。本発明においてこの発泡性物質は、好ましくはコーヒー飲料、例えばインスタントコーヒー飲料を指し得る。「改善された発泡特性」の決定は増大する泡沫体積から見ることができ、これはまた泡のテクスチャ、泡の色及び泡の安定性に対して間接的な影響も有する。
【００２２】
用語「４−ビニルカテコールモノマー」は、特に発泡剤として作用する点に関して特別な機能性を有するポリフェノール化合物に関する。ポリフェノール化合物は、他のコーヒー化合物などの他の化合物との多様な範囲の相互作用（すなわち共有結合性相互作用、イオン性相互作用、水素結合、双極子−双極子相互作用）を介して架橋剤として作用し、その結果泡沫体積を高めることができると考えられる。
【００２３】
本発明において、「ポリフェノール」とは、複数のフェノール単位（２又はそれより多いのフェノール単位）の存在を特徴とする構造上の１つのクラスの天然、合成、及び半合成の有機化学物質を指す。これらのフェノール下部構造の数及び特徴はこのクラスの個々のメンバーの独特な物理的、化学的、及び生物学的特性の基礎となる。
【００２４】
したがって、本発明の１つの実施形態は、
（ｉ）少なくとも２つの４−ビニルカテコールモノマーを含む組成物を用意するステップと、
（ｉｉ）ステップ（ｉ）の４−ビニルカテコールモノマーの重合を誘発させて多官能フェノールを含む組成物を得るステップと
を含む、発泡助剤を製造する方法を提供することである。
【００２５】
本発明の１つの実施形態において、ステップ（ｉ）の組成物は少なくとも３つの４−ビニルカテコールモノマー、例えば少なくとも５つの４−ビニルカテコールモノマーなどの少なくとも４つの４−ビニルカテコールモノマー、例えば少なくとも７つの４−ビニルカテコールモノマーなどの少なくとも６つの４−ビニルカテコールモノマーを含む。
【００２６】
ステップ（ｉｉ）で誘発される重合は、モノマー分子が互いに単に付加される付加重合でもよいし、又はモノマー分子が化合しつつ例えば水のような簡単な分子を失う縮合重合でもよい。ステップ（ｉｉ）で誘発される重合は縮合重合であるのが好ましいであろう。
【００２７】
本発明の１つの実施形態において、４−ビニルカテコールモノマーはコーヒー酸から誘導され得る。より具体的にいうと、４−ビニルカテコールモノマーは少なくとも１種のクロロゲン酸から誘導され得るのが好ましい。
【００２８】
少なくとも１種のクロロゲン酸は、３−カフェオイルキナ酸（１）、４−カフェオイルキナ酸（２）、５−カフェオイルキナ酸（３）、３，４−ジカフェオイルキナ酸（７）、３，５−ジカフェオイルキナ酸（８）、４，５−ジカフェオイルキナ酸（９）からなるリストから選択することができる。
【００２９】
少なくとも２つの４−ビニルカテコールモノマーはコーヒー酸又はクロロゲン酸類のコーヒー酸部分の脱炭酸によって得られるのが好ましい。
【００３０】
なお、コーヒー酸は前記クロロゲン酸の加水分解によって得ることができる。前記クロロゲン酸の前記加水分解は加熱処理によって達成することができる。
【００３１】
４−ビニルカテコールモノマーは合成的に生成されるか、発酵により生成されるか、又はコーヒーなどの植物材料から誘導され得る。４−ビニルカテコールモノマーはコーヒーから得ることができることが好ましい。
【００３２】
本発明に従って使用される４−ビニルカテコールモノマーは図１の（１５）に示されている構造式を有する。幾つかの多官能フェノール（１６）〜（２５）、及びキノン（２６）は、４−ビニルカテコールモノマーの重合で誘導することができる。図１に示した化合物は網羅したものではなく、本発明の範囲を限定するものでもない。
【００３３】
これらの多官能フェノールは、少なくとも２つの４−ビニルカテコール（１５）モノマーの縮合に由来する少なくとも２つのフェノール部分の存在によって特徴付けられる。天然由来のグリーンコーヒーフェノール酸の場合と同様に、これらの多官能フェノールは酸化防止活性を示し、泡の構造及び安定性に関与する。この酸化防止特性は、これらの多官能フェノールの、フリーラジカルをクエンチし、反応性の酸素種をクエンチし、又はフリーラジカル生成の原因である金属イオンをキレート化する能力に関連する。泡の構造形成特性は、これらの化合物の、水素結合相互作用、疎水性相互作用、πスタッキング、静電気相互作用、又は共有結合を介してコーヒー素地と相互作用する能力に関連している可能性がある。また、これらの化合物は、一定の条件下で、タンパク質のアミノ酸側鎖及びコーヒー素地中に存在する糖などの天然由来の求核物質と相互作用し、その結果共有結合したフェニルプロパノイド種としてメラノイジンに組み込まれ得る。これらの相互作用がコーヒー泡沫の複雑な多相コロイド系内部で起こると、泡の濃化挙動の結果として後者のさらなる安定化を引き起こすことができる。また、このファミリーの化合物はコーヒー素地内部に酸素の微細気泡の形成を起こすことも立証された。コーヒーに天然に存在するがこのファミリーの化合物が存在すると加速される複雑な酸化還元反応により生成する微細気泡は、安定な泡の形成をも起こし得る。
【００３４】
本発明の１つの実施形態において、ステップ（ｉｉ）の多官能フェノールを含む組成物は少なくとも１種のポリヒドロキシル化フェニルインダンを含む組成物である。
【００３５】
本発明のさらなる実施形態において、ステップ（ｉｉ）の多官能フェノールを含む組成物は、ｔｒａｎｓ−５，６−ジヒドロキシ−１−メチル−３−（３’−４’−ジヒドロキシフェニル）インダン、ｃｉｓ−５，６−ジヒドロキシ−１−メチル−３−（３’−４’−ジヒドロキシフェニル）インダン、１，３−ビス（３’−４’−ジヒドロキシフェニル）ブタン、ｔｒａｎｓ−１，３−ビス（３’−４’−ジヒドロキシフェニル）ブテン、５，６−ジヒドロキシ−２−カルボキシ−１−メチル−３−（３’−４’−ジヒドロキシフェニル）インダン、ｔｒａｎｓ−４，５−ジヒドロキシ−１−メチル−３−（３’，４’−ジヒドロキシフェニル）インダン、ｃｉｓ−４，５−ジヒドロキシ−１−メチル−３−（３’，４’−ジヒドロキシフェニル）インダン、ｔｒａｎｓ−５，６−ジヒドロキシ−１−メチル−３−［３’，４’−ジヒドロキシ−５’−（１−（３”，４”−ジヒドロキシフェニル）−１−エチル）フェニル］インダン、ｃｉｓ−５，６−ジヒドロキシ−１−メチル−３−［３’，４’−ジヒドロキシ−５’−（１−（３”，４”−ジヒドロキシフェニル）−１−エチル）フェニル］インダン、５，６−ジヒドロキシ−１−メチル−２−［１−（３’，４’−ジヒドロキシフェニル）−１−エチル］−３−（３”，４”−ジヒドロキシフェニル）インダンからなるリストから選択される少なくとも１種の多ヒドロキシル化されたフェニルインダンを含む組成物である。
【００３６】
本発明のさらに別の実施形態において、ステップ（ｉｉ）の多官能フェノールを含む組成物は、ｔｒａｎｓ−５，６−ジヒドロキシ−１−メチル−３−（３’−４’−ジヒドロキシフェニル）インダン、ｃｉｓ−５，６−ジヒドロキシ−１−メチル−３−（３’−４’−ジヒドロキシフェニル）インダン、ｔｒａｎｓ−１，３−ビス（３’−４’−ジヒドロキシフェニル）ブテンを含む組成物でもよい。
【００３７】
本発明のさらに別の実施形態において、ステップ（ｉｉ）の多官能フェノールを含む組成物は、ｔｒａｎｓ−５，６−ジヒドロキシ−１−メチル−３−（３’−４’−ジヒドロキシフェニル）インダン、ｃｉｓ−５，６−ジヒドロキシ−１−メチル−３−（３’−４’−ジヒドロキシフェニル）インダンを含む組成物である。
【００３８】
既に述べたように、フェノール化合物は多官能フェノールのプロセスで誘発された重合産物のグループに分類することができる。このプロセスは熱処理、化学処理、酸化処理又は酵素処理でもよい。好ましくは、プロセスは熱処理とし得る（例えば、Ｒｉｃｈａｒｄ  Ｈ．  Ｓｔａｄｌｅｒ、Ｄｉｅｔｅｒ  Ｈ．  Ｗｅｌｔｉ、Ａｎｄｒｅａｓ  Ａ．  Ｓｔａｍｐｆｌｉ、及びＬａｕｒｅｎｔ  Ｂ．  Ｆａｙ、Ｊ．  Ａｇｒｉｃ．  Ｆｏｏｄ  Ｃｈｅｍ．  １９９６、４４、８９８〜９０５（援用により本明細書に含まれる）を参照）。
【００３９】
熱的に誘発された多官能フェノールは、例えば焙煎の際遊離のコーヒー酸又は５−カフェオイルキナ酸から放出される４−ビニルカテコールモノマーの縮合で誘導された化合物と定義することができる。これらのモノマーの縮合は、多ヒドロキシル化されたフェニルインダンとして分類することができる多様な反応生成物を生じる。
【００４０】
こうして、ステップ（ｉｉ）の重合は熱処理により誘発され得る。
【００４１】
多官能フェノールの重合を誘発したプロセスは４−ビニルカテコールモノマーの化学処理も含み得る。化学的に誘発された多官能フェノールは、熱的に誘発された多官能フェノール、又は水酸化カリウム若しくは水酸化ナトリウムなどのアルカリ性物質で処理されている天然由来のグリーンコーヒーフェノール酸から誘導された化合物と定義することができる。カテコール部分は酸素の存在下でアルカリ性溶液と反応してキノン（２６）を生成することができる。キノンは求電子特性を有し、これは、タンパク質のアミノ酸側鎖、他のフェノール化合物及びコーヒー素地内に存在する糖などの天然由来の求核物質に対する求核付加、すなわち共役付加を容易に起こすことができるということを意味する。また、これらの反応は化学的に誘発された多官能フェノールの形成を起こし得、コーヒー泡沫の複雑な多相コロイド系内部で起こる。化学的に誘発された多官能フェノールは、その系の濃化挙動により泡沫の安定化を起こし得る。
【００４２】
１つの実施形態において、本発明の方法はステップ（ｉｉ）の多官能フェノールを含む組成物をアルカリで処理するステップをさらに含み得る。前記アルカリは水酸化カリウムであるのが好ましい。
【００４３】
また、多官能フェノールの重合を誘発したプロセスは酸化処理を含み得る。酸化的に誘発された多官能フェノールは、熱的に誘発された多官能フェノール又はキノン（２６）を生成するために酸化された天然由来のグリーンコーヒーフェノール酸から誘導された化合物として定義される。酸化的に誘発された多官能フェノールは化学的に誘発された多官能フェノールの場合と同様に作用し挙動する。
【００４４】
したがって、１つの実施形態において、本発明の方法は、ステップ（ｉｉ）で得られた組成物を酸化するステップをさらに含み得る。
【００４５】
多官能フェノールの重合を誘発したプロセスには酵素処理も含まれ得る。酵素的に誘発された多官能フェノールは、熱的に誘発された多官能フェノール、又は天然由来のグリーンコーヒーフェノール酸をキノン（２６）に変換するポリフェノールオキシダーゼ、ラッカーゼ又はチロシナーゼなどの酵素で処理されている天然由来のグリーンコーヒーフェノール酸から誘導された化合物として定義される。酵素的に誘発された多官能フェノールは化学的に誘発された多官能フェノールの場合と同様に作用し挙動する。
【００４６】
本発明の１つの実施形態において、ステップ（ｉｉ）で得られた組成物は、前記ポリフェノールからキノンを形成する酵素で処理し得る。
【００４７】
前記酵素は、ポリフェノールオキシダーゼ、ラッカーゼ及びチロシナーゼからなるリストから選択するのが好ましい。
【００４８】
本発明に従って提供される発泡助剤は液体又は粉末状製品の発泡助剤として使用することができる。特に、本発明に従って提供される発泡助剤は飲料、特にコーヒー飲料の発泡助剤として使用することができる。
【００４９】
本発明はまた、
（ａ）コーヒー抽出物を用意するステップと、
（ｂ）本発明の発泡助剤を前記抽出物に添加するステップと
を含む、コーヒー製品を製造する方法の提供にも関する。
【００５０】
本発明の１つの実施形態において、発泡助剤は、コーヒー抽出物が液体形態であるとき、又はコーヒー抽出物が乾燥形態であるときに添加することができる。
【００５１】
１つの実施形態において、本発明の方法は、前記コーヒー抽出物を濃縮する少なくとも１つのステップをさらに含む。この前記コーヒー抽出物を濃縮する少なくとも１つのステップは蒸発ステップでもよい。
【００５２】
１つの実施形態において、本発明は、前記コーヒー抽出物を乾燥して４％（ｗ／ｗ％）又はそれより低い含水量を得るさらなるステップを含み得る。
【００５３】
前記発泡助剤は前記コーヒー抽出物を乾燥する前に添加してもよく、及び／又は前記発泡助剤は前記コーヒー抽出物を乾燥した後に添加してもよい。
【００５４】
コーヒー製品は可溶性コーヒー製品でもよい。前記コーヒー製品は、液体中で再溶解することができる水溶性粉末又は顆粒の形態であるのが好ましい。或いは、前記コーヒー製品は液体形態であってもよい。
【００５５】
コーヒー抽出物は当業者に利用可能な任意の方法で得ることができる。しかし、コーヒー抽出物は熱間抽出によって得るのが好ましいであろう。ステップ（ｂ）は前記熱間抽出の後に行うのが好ましい。
【００５６】
コーヒー抽出物を用意するのに使用される材料はグリーンコーヒー豆、焙煎コーヒー豆又はこれらの混合物のコーヒー抽出物でもよい。
【００５７】
本発明の１つの実施形態において、コーヒー製品は、インスタントコーヒー、インスタントエスプレッソコーヒー、液体コーヒー濃縮物及びコーヒーミックス、コーヒー混合物、カプセル入り又はなしのＲ＆Ｇコーヒー（焙煎され粉砕されたコーヒー）、Ｒ＆Ｇ及びインスタントコーヒーのミックス、レディ・トゥ・ドリンクコーヒー飲料からなるリストから選択されるコーヒー製品である。
【００５８】
本発明のさらに別の実施形態において、発泡助剤はｔｒａｎｓ−５，６−ジヒドロキシ−１−メチル−３−（３’−４’−ジヒドロキシフェニル）インダン、ｃｉｓ−５，６−ジヒドロキシ−１−メチル−３−（３’−４’−ジヒドロキシフェニル）インダン、及び／又はｔｒａｎｓ−１，３−ビス（３’−４’−ジヒドロキシフェニル）ブテンを含む。コーヒー製品中のｔｒａｎｓ−５，６−ジヒドロキシ−１−メチル−３−（３’−４’−ジヒドロキシフェニル）インダン、ｃｉｓ−５，６−ジヒドロキシ−１−メチル−３−（３’−４’−ジヒドロキシフェニル）インダン、及び／又はｔｒａｎｓ−１，３−ビス（３’−４’−ジヒドロキシフェニル）ブタンの総濃度は、２．３ｍｇ／Ｌ超、例えば２．４ｍｇ／Ｌ超、例えば２．５ｍｇ／Ｌ超、例えば２．７ｍｇ／Ｌ超、例えば３．０ｍｇ／Ｌ超、例えば３．５ｍｇ／Ｌ超、例えば４．０ｍｇ／Ｌ超、例えば２〜８ｍｇ／Ｌの範囲、例えば２．３〜７．４ｍｇ／Ｌの範囲、例えば２．５〜７．０ｍｇ／Ｌの範囲、例えば３〜６ｍｇ／Ｌの範囲、例えば４〜５ｍｇ／Ｌの範囲が好ましい。
【００５９】
本発明のさらに別の実施形態において、発泡助剤はｔｒａｎｓ−５，６−ジヒドロキシ−１−メチル−３−（３’−４’−ジヒドロキシフェニル）インダン及びｃｉｓ−５，６−ジヒドロキシ−１−メチル−３−（３’−４’−ジヒドロキシフェニル）インダンを含む。コーヒー製品中のｔｒａｎｓ−５，６−ジヒドロキシ−１−メチル−３−（３’−４’−ジヒドロキシフェニル）インダン、ｃｉｓ−５，６−ジヒドロキシ−１−メチル−３−（３’−４’−ジヒドロキシフェニル）インダンの総濃度は、２．３ｍｇ／Ｌ超、例えば２．４ｍｇ／Ｌ超、例えば２．５ｍｇ／Ｌ超、例えば２．７ｍｇ／Ｌ超、例えば３．０ｍｇ／Ｌ超、例えば３．５ｍｇ／Ｌ超、例えば４．０ｍｇ／Ｌ超、例えば２〜８ｍｇ／Ｌの範囲、例えば２．３〜７．４ｍｇ／Ｌの範囲、例えば２．５〜７．０ｍｇ／Ｌの範囲、例えば３〜６ｍｇ／Ｌの範囲、例えば４〜５ｍｇ／Ｌの範囲であるのが好ましい。
【００６０】
本発明のコーヒー製品は、アルカリで処理された発泡助剤を含み得る。前記アルカリは水酸化カリウムが好ましい。したがって、本発明の発泡助剤は、コーヒー製品中に前記アルカリ又は微量の前記アルカリ、例えば水酸化カリウム、及び／又はアルカリと４−ビニルカテコールモノマーとの反応からの化合物が存在すること、並びに／或いはｔｒａｎｓ−５，６−ジヒドロキシ−１−メチル−３−（３’−４’−ジヒドロキシフェニル）インダン、ｃｉｓ−５，６−ジヒドロキシ−１−メチル−３−（３’−４’−ジヒドロキシフェニル）インダン、及び／又はｔｒａｎｓ−１，３−ビス（３’−４’−ジヒドロキシフェニル）ブテンの含有量によって、他の従来製品と異なり得る。好ましくはｔｒａｎｓ−５，６−ジヒドロキシ−１−メチル−３−（３’−４’−ジヒドロキシフェニル）インダン、ｃｉｓ−５，６−ジヒドロキシ−１−メチル−３−（３’−４’−ジヒドロキシフェニル）インダン、及び／又はｔｒａｎｓ−１，３−ビス（３’−４’−ジヒドロキシフェニル）ブタンの総濃度である。
【００６１】
本発明の１つの実施形態において、発泡助剤は、グリーンコーヒー豆、焙煎コーヒー豆又はこれらの混合物のコーヒー抽出物と共にカプセルなどの容器に包装され得る。
【００６２】
本発明のコーヒー製品は通例瓶、缶、袋又はカプセルなどの容器内に包装することができる。したがって、本発明のさらに別の態様は本発明のコーヒー製品を含む容器を提供することである。この容器は用途及び中味の種類に応じて様々な形態を取り得る。１つの好ましい実施形態において、容器はカプセルである。
【００６３】
本発明の１つの態様に関して記載した実施形態及び特徴は、本発明の他の態様にも適用することに注意されたい。
【００６４】
本出願で引用した特許及び非特許文献は全て、援用によりその全体が本明細書に含まれているものとする。
【００６５】
ここで、以下の非限定実施例により本発明をさらに詳細に説明する。
【実施例】
【００６６】
実施例１．発泡助剤である焙煎コーヒー酸の存在下でのコーヒー抽出物粉末の再溶解（図２）。
発泡助剤である焙煎コーヒー酸の調製。
コーヒー酸（Ｓｉｇｍａ）（１．０ｇ、５．５ｍｍｏｌ）を、２３０℃に設定した実験室規模のオーブンに入れた金属るつぼ内で焙煎した（１６分）。水溶性焙煎コーヒー酸生成物は、１００℃に加熱したＭｉｌｌｉ−Ｑ級の水２×５０ｍＬを用いて回収した。新たに形成された溶液を遠心分離し（４０００ｒｐｍ）、ろ過した。このろ過した溶液を２つの試料に分割した。１つはそのまま使用し、もう１つは凍結乾燥した。
【００６７】
コーヒー抽出物の再溶解後の、泡測定器（ＦＭＤ）を用いた泡沫体積の決定。
粉末化された自己発泡性コーヒー抽出物（４ｇ）を貯水槽（ＦＭＤ）に接続された再溶解容器に注ぎ入れた。貯水槽から再溶解容器への水の移動はバルブによって止めた。コーヒー粉末を８５℃の２００ｍＬの水（対照）又は０．０６５％の焙煎コーヒー酸を含有する（添加）８５℃の２００ｍＬの水で再溶解した後、ホールピペットを備えた蓋で再溶解容器を覆った。次に、再溶解容器と貯水槽との間のバルブを開き、再溶解されたコーヒー溶液を水（室温の標準水道水）でピペット中に押し上げて泡沫体積の容易な測定を可能にした。実験は２回繰り返して行った。
【００６８】
結果
国際公開第２００９／０４０２４９号パンフレット（Ｎｅｓｔｅｃ  Ｓ．Ａ．）に従って生成した自己発泡性コーヒーの、焙煎コーヒー酸（０．０６５％  ｗ／ｗ％、発泡助剤）の存在下での再溶解により、ＦＭＤで測定される泡沫の生成が増大する（図２）。
【００６９】
ＦＭＤは自己発泡性コーヒー抽出物粉末の自己発泡性能を測定する。この実験により、再溶解水中に焙煎コーヒー酸が存在すると、粉末化コーヒー抽出物の自己発泡性能が増大することが確認される。
【００７０】
実施例２．グリーンコーヒーへのアルカリ化されたコーヒー酸の添加（図３）。
添加されたグリーンコーヒー豆の調製。
まず、コーヒー酸（１〜８ｇ、５．５〜４４．４ｍｍｏｌ）をアルカリ化されたＭｉｌｌｉＱ−水（３４０〜３８８ｍＬ；水酸化カリウム（１Ｍ））に溶解した。次に、この溶液にグリーンコーヒー豆（４００ｇ）を一晩浸した。乾燥後、グリーンビーンズを２３６℃で７２０秒焙煎し、５．５に設定したディッティング（Ｄｉｔｔｉｎｇ）ミルを用いて粉砕し、５５０μｍの平均粒度を得た。この粉砕された焙煎豆はそのまま使用した。
【００７１】
ホイッピング法（ウルトラ−トュラックス（Ｕｌｔｒａ−Ｔｕｒｒａｘ））を用いたコーヒー泡沫体積の決定。
未添加及びそれぞれ添加された焙煎粉砕コーヒーサンプルを、メスシリンダー（高さ：２０．８ｃｍ、内径：２６ｍｍ）に注ぎ入れた水に懸濁させ（５０ｍＬの水中に２．７ｇ、６０℃）、分散具Ｓ  ２５  Ｎ−１８Ｇを備えたＴ  ２５デジタルウルトラ−トュラックス（ＩＫＡ、Ｓｔａｕｆｅｎ、Ｇｅｒｍａｎｙ）を用いて１５０００ｒｐｍで５秒ホイップした。発泡性は、２分後の泡沫体積を測定することによって定量した。泡の安定性を評価するために、泡沫体積を５、１０及び１５分後も測定した。実験は２回繰り返して行った。
【００７２】
結果
上記したようにいろいろな量のコーヒー酸をグリーンコーヒー豆に富化することにより、増大した泡沫体積を有するコーヒーサンプルを生じた（図３）。泡沫体積対時間（アラビカ）：未添加（黒丸）、並びにコーヒー酸添加（０．２５％コーヒー酸（暗灰色のばつ印）；０．５％コーヒー酸（薄灰色の三角）；１％コーヒー酸（薄灰色の四角）及び２％コーヒー酸（薄灰色の丸）。
【００７３】
実施例３．コーヒー酸が富化されたグリーンコーヒー抽出物、水及びコーヒー酸によるグリーンコーヒーの浸漬（図４）。
１つのバッチのグリーンコーヒー豆を５００ｇの３つのロットに分割した。１つのロットは、ＷＯＬＡ１  ＥＳＴＥＲＡＳＥに記載されている手順に従って生成したコーヒー酸が富化されたグリーンコーヒー抽出物（５００ｇ、ＴＣ２％）に一晩浸した。第２のロットは水（５００ｍＬ）に一晩浸し、第３のロットはコーヒー酸溶液（６００ｍｇ、３．３３ｍｍｏｌ、５００ｍＬ）に一晩浸した。乾燥後、全ての豆を２３６℃で５５０秒焙煎した。５．５に設定したディッティングミルを用いて豆を粉砕して粒度５５０μｍを得た。粉砕した豆を、ダイオネクス（Ｄｉｏｎｅｘ）ＡＳＥ  ２００を用いて２ステップ抽出手順（１００℃／１０分及び１８０℃／１０分）を適用することによって抽出した。得られた抽出物を収集し、凍結乾燥した。
【００７４】
ＫＯＭＯマシンを用いることによるコーヒー泡沫体積の決定
上記の焙煎したコーヒー抽出物をＴＣ２％のＭｉｌｌｉＱ水（７５℃）に溶解した。８３ｍＬの各サンプル溶液をホイッピング装置（１５０００ｒｐｍ、２０秒）に通し、発泡した液体を容積シリンダーに回収した。泡沫体積を３６０秒まで３０秒毎に記録した。初期泡沫体積及び泡沫崩壊速度（０〜１２０秒）は、対数モデルを用いて泡沫曲線から外挿した。
【００７５】
この方法から、上記したようにコーヒー酸が富化された担体としてのグリーンコーヒー抽出物を用いてコーヒー酸をグリーンコーヒー豆に富化濃縮すると、増大した発泡性を有するコーヒーサンプルが生成した（図４）。
参考文献
欧州特許第０８３９４５７号
国際公開第２００９／０４０２４９号パンフレット
【図１】
0006348511.tif 000002
【図２】
0006348511.tif 000003
【図３】
0006348511.tif 000004
【図４】
0006348511.tif 000005